(57)【要約】      （修正有）【課題】フィットネス装置の位置決め構造を提供する。【解決手段】台座１、位置決めシャフト２、制御部３を備えるフィットネス装置の位置決め構造であって、台座に、スライドシャフトスリーブ１１が設けられ、且つ、台座は基座５に固定され、スライドシャフトスリーブは、シャフト孔を有し、枢接台４１はシャフト孔に合わせた位置決め部を備え、位置決めシャフトはシャフト孔に貫通して設けられ、バイクフレーム４が直立した時に、位置決めシャフトが位置決め部に係合するまでスライドすることにより、枢接台を横方向に揺動しないように制限する。制御部は、位置決めシャフトに連結してバイクフレームに設けられ、位置決めシャフトが位置決め部に係合するか、又は前記位置決め部から脱離するまでスライドできるように制御する。【選択図】図１
2019042466.tif 000002
【特許請求の範囲】
【請求項１】
フィットネス装置の位置決め構造であって、
前記フィットネス装置は、バイクフレームが枢接台を介して基座に横方向に揺動可能に枢接されたものであり、且つ、前記基座上に前記バイクフレームを直立に維持するように前記枢接台を支持する複数の弾性部材を有し、前記弾性部材のそれぞれは、前記バイクフレームが横方向に揺動する時に圧迫により変形することにより、横に傾斜した姿勢を維持し、
前記位置決め構造は、台座、位置決めシャフト、及び制御部を含み、
前記台座は、前記枢接台に隣接して前記基座上に固定され、前記台座上にスライドシャフトスリーブが設けられ、前記スライドシャフトスリーブが前記台座の片側に面するシャフト孔を有し、前記枢接台が前記シャフト孔に合わせた位置決め部を有し、
前記位置決めシャフトは、前記シャフト孔に貫通して設けられ、前記バイクフレームが直立した時に、前記位置決めシャフトが前記位置決め部に係合するまでスライドすることにより、前記枢接台を横方向に揺動しないように制限し、
前記制御部は、前記位置決めシャフトに連結して前記バイクフレームに設けられ、前記位置決めシャフトが前記位置決め部に係合するか、又は前記位置決め部から脱離するまでスライドできるように制御するフィットネス装置の位置決め構造。
【請求項２】
請求項１に記載のフィットネス装置の位置決め構造であって、
前記台座に2つの前記スライドシャフトスリーブが設けられ、２つの前記位置決めシャフトが２つの前記スライドシャフトスリーブのシャフト孔にスライド可能に設けられ、２つの前記位置決めシャフトがその一端で前記制御部に連結され、前記制御部により、２つの前記位置決めシャフトを、対応するスライドシャフトスリーブのシャフト孔においてスライドさせることを特徴とするフィットネス装置の位置決め構造。
【請求項３】
請求項２に記載のフィットネス装置の位置決め構造であって、
2つの前記位置決めシャフトは、前記制御部に連結される一端で連結部により連結され、前記制御部はスチールケーブル及びディップスイッチからなり、前記スチールケーブルは、その一端で前記連結部に結合され、且つ、前記バイクフレームに沿って適宜な位置まで延設され、他端で前記ディップスイッチに連結され、前記連結部と前記台座との間に復帰バネが設けられ、前記復帰バネにより前記連結部を介して2つの前記位置決めシャフトを前記位置決め部に常時係合するように連動させる、又は、前記ディップスイッチにより前記スチールケーブルを引っ張ることにより、2つの前記位置決めシャフトが前記位置決め部から脱離するまで同時にスライドするように制御することを特徴とするフィットネス装置の位置決め構造。
【請求項４】
請求項２に記載のフィットネス装置の位置決め構造であって、
2つの前記位置決めシャフトは、前記制御部に連結される一端で連結部により連結され、前記制御部は、基台、前記基台に連結されるプル部、及び前記プル部に連結される接続桿を備えるプルバックルであり、前記接続桿がその一端で前記連結部に結合され、前記連結部と前記台座との間に復帰バネが設けられ、前記復帰バネにより前記連結部を介して2つの前記位置決めシャフトを前記位置決め部に常時係合するように連動させる、又は、前記プル部を引っ張ることにより、2つの前記位置決めシャフトが前記位置決め部から脱離するまで同時にスライドするように制御することを特徴とするフィットネス装置の位置決め構造。
【請求項５】
請求項１に記載のフィットネス装置の位置決め構造であって、
前記位置決め部が、前記枢接台に設けられ、対応する位置決めシャフトが貫通可能な貫通孔であることを特徴とするフィットネス装置の位置決め構造。
【請求項６】
請求項１に記載のフィットネス装置の位置決め構造であって、
前記弾性部材はウレタン樹脂であることを特徴とするフィットネス装置の位置決め構造。
【発明の詳細な説明】
【技術分野】
【０００１】
本発明は、フィットネス装置に関し、特に、フィットネス装置の位置決め構造に関する。
【背景技術】
【０００２】
従来のフィットネス装置には、横方向に揺動可能なスピンバイクがあり、主に、基座上にバイクフレームが設けられ、乗る時も、乗らない時も、バイクフレームが横方向に揺動することがなく、直立状態を維持できるように、基座上において、バイクフレームが枢接台により枢接され、かつ、枢接台は弾性部材を介して基座に支持される。
【発明の概要】
【発明が解決しようとする課題】
【０００３】
前記バイクフレームに設けられる枢接台と基座との間に、弾性部材が設けられるため、乗る時に、バイクフレームを横方向に揺動させて路上感覚を模擬する機能を提供できる。しかし、位置決め構造が設けられていないため、バイクフレームが直立した状態になる時に、動かないように固定することができず、一般的に、横方向に揺動不能な直立状態を維持したままで、乗り続けられない。よって、直立状態も横方向に揺動させる状態も利用可能な機能を提供することができず、これも本発明が解決しようとする主な課題である。
【課題を解決するための手段】
【０００４】
本発明は、上記課題に鑑みなされたものであり、フィットネス装置の位置決め構造を提供する。バイクフレームの基座において、台座、位置決めシャフト、及び制御部を備える位置決め構造が設けられる。台座上において、制御部により、位置決めシャフトをスライドシャフトスリーブ内にスライドさせて枢接台の位置決め部に係合させる又は脱離させるように制御する。これで、基座上において、枢接台を横方向に揺動可能にする又は横方向に揺動不能に固定するように制御する。これにより、バイクフレームの直立姿勢又は横方向に揺動可能な状態に位置決めるように制御し、バイクフレームの直立姿勢も横方向に揺動する状態も利用可能な利便性を実現する。
【０００５】
前前記フィットネス装置は、バイクフレームが枢接台を介して基座に横方向に揺動可能に枢接されたものであり、且つ、前記基座上に前記バイクフレームを直立に維持するように前記枢接台を支持する複数の弾性部材を有し、前記弾性部材のそれぞれは、前記バイクフレームが横方向に揺動する時に圧迫により変形することにより、横に傾斜した姿勢を維持する。上記目的を達成するために、本発明にかかる位置決め構造は、台座、位置決めシャフト、及び制御部を含む。
【０００６】
前記台座は、前記枢接台に隣接して前記基座上に固定され、前記台座上にスライドシャフトスリーブが設けられ、前記スライドシャフトスリーブが前記台座の片側に面するシャフト孔を有し、前記枢接台が前記シャフト孔に合わせた位置決め部を有する。
【０００７】
前記位置決めシャフトは、前記シャフト孔に貫通して設けられ、前記バイクフレームが直立した時に、前記位置決めシャフトが前記位置決め部に係合するまでスライドすることにより、前記枢接台を横方向に揺動しないように制限する。
【０００８】
前記制御部は、前記位置決めシャフトに連結して前記バイクフレームに設けられ、前記位置決めシャフトが前記位置決め部に係合するか、又は前記位置決め部から脱離するまでスライドできるように制御する。
【０００９】
前記台座に2つの前記スライドシャフトスリーブが設けられ、２つの前記位置決めシャフトが２つの前記スライドシャフトスリーブのシャフト孔にスライド可能に設けられ、２つの前記位置決めシャフトがその一端で前記制御部に連結され、前記制御部により、２つの前記位置決めシャフトを、対応するスライドシャフトスリーブのシャフト孔においてスライドさせる。
【００１０】
また、2つの前記位置決めシャフトは、前記制御部に連結される一端で連結部により連結され、前記制御部はスチールケーブル及びディップスイッチからなり、前記スチールケーブルは、その一端で前記連結部に結合され、且つ、前記バイクフレームに沿って適切な位置まで延設され、他端で前記ディップスイッチに連結され、前記連結部と前記台座との間に復帰バネが設けられ、前記復帰バネにより前記連結部を介して2つの前記位置決めシャフトを前記位置決め部に常時係合するように連動させる、又は、前記ディップスイッチにより前記スチールケーブルを引っ張ることにより、2つの前記位置決めシャフトが前記位置決め部から脱離するまで同時にスライドするように制御する。
【００１１】
また、2つの前記位置決めシャフトは、前記制御部に連結される一端で連結部により連結され、前記制御部は、基台、前記基台に連結されるプル部、及び前記プル部に連結される接続桿を備えるプルバックルであり、前記接続桿がその一端で前記連結部に結合され、前記連結部と前記台座との間に復帰バネが設けられ、前記復帰バネにより前記連結部を介して2つの前記位置決めシャフトを前記位置決め部に常時係合するように連動させる、又は、前記プル部を引っ張ることにより、2つの前記位置決めシャフトが前記位置決め部から脱離するまで同時にスライドするように制御する。
【００１２】
また、前記位置決め部が、前記枢接台に設けられ、対応する位置決めシャフトが貫通可能な貫通孔である。
【００１３】
また、前記弾性部材は、ポリウレタン樹脂である。
【図面の簡単な説明】
【００１４】
【図１】図１は本発明の第一実施形態の立体外観図である。
【図２】図２は本発明の第一実施形態の位置決め構造の部分拡大図である。
【図３】図３は本発明の第一実施形態の位置決め構造の分解配置図である。
【図４】図４は本発明の第一実施形態の位置決め構造（位置決めシャフトを位置決め部に係合させる）の断面図である。
【図５】図５は本発明の第一実施形態の他の位置決め構造（位置決めシャフトを位置決め部から脱離させる）の断面図である。
【図６】図６は本発明の第一実施形態の位置決め構造（位置決めシャフトを位置決め部から脱離させる）の他の断面図である。
【図７】図７は本発明の第一実施形態のバイクフレームが基座上において横方向に揺動する時の動作の概念図である。  の断面図である。
【図８】図８は本発明の第二実施形態の位置決め構造（位置決めシャフトを位置決め部に係合させる）の断面図である。
【図９】図９は本発明の第二実施形態の位置決め構造（位置決めシャフトを位置決め部から脱離させる）の他の断面図である。
【発明を実施するための形態】
【００１５】
図１から図９を参照して、本発明にかかる実施形態及び好ましい実施例を説明する。図面に示されたものは、本発明を説明するためのものであり、本発明の特許請求の範囲はこれら実施形態に限らない。
【００１６】
本発明は、フィットネス装置の位置決め構造を提供する。図１〜図２に示すように、前記フィットネス装置の位置決め構造は、台座１、位置決めシャフト２、及び制御部３を備える。前記フィットネス装置は、バイクフレーム４が枢接台４１を介して基座５に横方向に揺動可能に枢接されたものであり、且つ、前記基座５上に前記バイクフレーム４を直立に維持するように前記枢接台４１を支持する複数の弾性部材６を備える。各弾性部材６は、バイクフレーム４が横方向に揺動する時に圧迫によって変形することにより、横に傾斜した姿勢を維持することができる。本実施形態において、前記フィットネス装置は、スピンバイクであるが、スピンバイクに限らない。
【００１７】
図３から図４に示すように、台座１は、枢接台４１に隣接して基座５に固定され、台座１上に、スライドシャフトスリーブ１１が設けられ、スライドシャフトスリーブ１１が台座１の片側に面するシャフト孔を有し、枢接台４１が、シャフト孔１１１に合わせた位置決め部４１１を有する。位置決めシャフト２はシャフト孔１１１を貫通して設けられ、バイクフレーム４が直立した時に、位置決めシャフト２が位置決め部４１１に係合するまでスライドすることにより、枢接台４１を横方向に揺動しないように制限する。制御部３は、位置決めシャフト２に連結してバイクフレーム４に設けられ、位置決めシャフト２が位置決め部４１１に係合するか、又は位置決め部４１１から脱離するまでスライドできるように制御する。
【００１８】
図３から図４に示すように、本実施例にかかる台座１に２つのスライドシャフトスリーブ１１が設けられ、２つの位置決めシャフト２が２つのスライドシャフトスリーブ１１のシャフト孔１１１内にスライド可能に設けられ、２つの位置決めシャフト２がその一端で制御部３に連結され、制御部３により、２つの位置決めシャフト２を、スライドシャフトスリーブ１１のシャフト孔１１１においてスライドさせる。
【００１９】
そして、２つの位置決めシャフト２は、制御部３に連結される一端で連結部２１により連結される。本実施形態において、制御部３は、スチールケーブル３１及びディップスイッチ３２からなり、スチールケーブル３１は一端で連結部２１に結合され、且つ、バイクフレーム４に沿って適宜な位置まで延設され、他端でディップスイッチ３２に連結され、連結部２１と台座１との間に復帰バネ２２が設けられ、復帰バネ２２により連結部２１を介して２つの位置決めシャフト２を位置決め部４１１に常時係合するように連動させるか、又は、ディップスイッチ３２によりスチールケーブル３１を引っ張ることにより、２つの位置決めシャフト２が位置決め部４１１から脱離するまで同時にスライドするように制御する。
【００２０】
本実施形態において、位置決め部４１１は、枢接台４１に設けられ、対応する位置決めシャフト２を貫通させるための貫通穴である。前記位置決め部４１１は、直接に枢接台４１に設けられなくてもよい。図５に示すように、独立した板４２は、対応する位置決めシャフト２を貫通させるための位置決め部４２１を有し、また、この板４２は前記シャフト孔１１１に合わせた枢接台４１の側面上に固定されることにより、枢接台４１に位置決め部４２１を有し、位置決めシャフト２に係合させる機能を果たすことができる。また、本実施形態において、前記弾性部材はウレタン樹脂である。
【００２１】
図4に示すように、乗用者が上記実施形態のスピンバイクを乗りたい場合、もし、乗用者がバイクフレーム4を直立姿勢に固定したい場合には、制御部3を予め操作しなくてもよく、即ち、ディップスイッチ３２を操作してスチールケーブル３１を引っ張らず、２つの位置決めシャフト２と位置決め部４１１との間の係合を維持できる。この時に、位置決めシャフト２により枢接台４１が横方向に揺動することがないため、乗用者はバイクフレーム４が直立した姿勢で乗用することができる。図6に示すように、乗用者がバイクフレーム4を横方向に揺動させて実走感を模擬したい場合、制御部3を操作し、つまり、ディップスイッチ３２を操作し、スチールケーブルを引っ張ることにより、枢接台４１との係合から位置決めシャフト２を脱離させ、位置決めシャフト２による阻止がないため、枢接台４１が横方向に揺動することが可能になり、乗用者は、図７に示すように、バイクフレーム４を横方向に揺動させるような路上走行を模擬することができる。
【００２２】
前記の説明から容易に分かるように、本発明は、基座５上に、台座１、位置決めシャフト２、制御部３を備える位置決め構造体が設けられる。台座１において、制御部３により、位置決めシャフト２をスライドシャフトスリーブ１１内にスライドさせることにより、枢接台４１の位置決め部４１１に係合させる又は脱離させることができる。それによって、バイクフレーム４の枢接台４１が基座５上において横方向に揺動できるか、又は固定して横方向に揺動できないように制御する。これによりバイクフレーム４の直立姿勢又は横方向に揺動可能な状態に位置決めるように制御し、バイクフレームの直立姿勢も横方向に揺動する状態も利用可能な利便性を実現する。
【００２３】
当然ながら、本発明はまた別の多数の例があり、これらの例には、細かい所に僅かな変化がある。図８から図９を参照すれば分かるように、本発明の第２の実施形態において、下記の点で異なる。即ち、前記制御部７は、基台７１、プル部７２、及び接続桿７３を備えるプルバックルであり、プル部７２が基台７１に連結され、接続桿７３がプル部７２に連結され、接続桿７３が一端で連結部２１に連結され、復帰バネ２２により連結部を介して2つの位置決めシャフト２を前記位置決め部に常時係合するように連動させる、又は、プル部７２を引っ張ることにより、2つの位置決めシャフト２が位置決め部４１１から脱離するまで同時にスライドすることができる。これは、第１の実施形態と同じような効果を達成することができる。
【符号の説明】
【００２４】
台座  １       スライドシャフトスリーブ  11
シャフト孔  １１１     位置決めシャフト111
連結部  ２１      復帰バネ  ２２
制御部  ３          スチールケーブル  ３１
ディップスイッチ  ３２    バイクフレーム  ４
枢接台  ４１      位置決め部  ４１１
板  ４２       位置決め部  ４２１
基座  ５       弾性部材  6
制御部  7       基台  ７１
プル部  ７２      接続桿  ７３
【図１】
2019042466.tif 000003
【図２】
2019042466.tif 000004
【図３】
2019042466.tif 000005
【図４】
2019042466.tif 000006
【図５】
2019042466.tif 000007
【図６】
2019042466.tif 000008
【図７】
2019042466.tif 000009
【図８】
2019042466.tif 000010
【図９】
2019042466.tif 000011
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
フィットネス装置の位置決め構造であって、
前記フィットネス装置は、バイクフレームが枢接台を介して基座に横方向に揺動可能に枢接されたものであり、且つ、前記基座上に前記バイクフレームを直立に維持するように前記枢接台を支持する複数の弾性部材を有し、前記弾性部材のそれぞれは、前記バイクフレームが横方向に揺動する時に圧迫により変形することにより、横に傾斜した姿勢を維持し、
前記位置決め構造は、台座、位置決めシャフト、及び制御部を含み、
前記台座は、前記枢接台に隣接して前記基座上に固定され、前記台座上にスライドシャフトスリーブが設けられ、前記スライドシャフトスリーブが前記台座の片側に面するシャフト孔を有し、前記枢接台が前記シャフト孔に合わせた位置決め部を有し、
前記位置決めシャフトは、前記シャフト孔に貫通して設けられ、前記バイクフレームが直立した時に、前記位置決めシャフトが前記位置決め部に係合するまでスライドすることにより、前記枢接台を横方向に揺動しないように制限し、
前記制御部は、前記位置決めシャフトに連結して前記バイクフレームに設けられ、前記位置決めシャフトが前記位置決め部に係合するか、又は前記位置決め部から脱離するまでスライドできるように制御し、
前記台座に2つの前記スライドシャフトスリーブが設けられ、２つの前記位置決めシャフトが２つの前記スライドシャフトスリーブのシャフト孔にスライド可能に設けられ、２つの前記位置決めシャフトがその一端で前記制御部に連結され、前記制御部により、２つの前記位置決めシャフトを、対応するスライドシャフトスリーブのシャフト孔においてスライドさせるフィットネス装置の位置決め構造。
【請求項２】
請求項１に記載のフィットネス装置の位置決め構造であって、
2つの前記位置決めシャフトは、前記制御部に連結される一端で連結部により連結され、前記制御部はスチールケーブル及びディップスイッチからなり、前記スチールケーブルは、その一端で前記連結部に結合され、且つ、前記バイクフレームに沿って適宜な位置まで延設され、他端で前記ディップスイッチに連結され、前記連結部と前記台座との間に復帰バネが設けられ、前記復帰バネにより前記連結部を介して2つの前記位置決めシャフトを前記位置決め部に常時係合するように連動させる、又は、前記ディップスイッチにより前記スチールケーブルを引っ張ることにより、2つの前記位置決めシャフトが前記位置決め部から脱離するまで同時にスライドするように制御することを特徴とするフィットネス装置の位置決め構造。
【請求項３】
請求項１に記載のフィットネス装置の位置決め構造であって、
2つの前記位置決めシャフトは、前記制御部に連結される一端で連結部により連結され、前記制御部は、基台、前記基台に連結されるプル部、及び前記プル部に連結される接続桿を備えるプルバックルであり、前記接続桿がその一端で前記連結部に結合され、前記連結部と前記台座との間に復帰バネが設けられ、前記復帰バネにより前記連結部を介して2つの前記位置決めシャフトを前記位置決め部に常時係合するように連動させる、又は、前記プル部を引っ張ることにより、2つの前記位置決めシャフトが前記位置決め部から脱離するまで同時にスライドするように制御することを特徴とするフィットネス装置の位置決め構造。
【請求項４】
請求項１に記載のフィットネス装置の位置決め構造であって、
前記位置決め部が、前記枢接台に設けられ、対応する位置決めシャフトが貫通可能な貫通孔であることを特徴とするフィットネス装置の位置決め構造。
【請求項５】
請求項１に記載のフィットネス装置の位置決め構造であって、
前記弾性部材はウレタン樹脂であることを特徴とするフィットネス装置の位置決め構造。